(57)【要約】カラー液晶ディスプレイ（１０５）および接触感応型ディスプレイ（５１０）のようなカラーディスプレイは、実質的に透明な後面板（１２０）または後面を含み、前記ディスプレイを通過する光は、太陽電池（１５０）の受光活性面を照らすように、一つ以上の太陽電池（１５０）を積層する。パターン化されたカラー反射器から成る、ピクセル化されたカラー反射器（１２０）が使用される。そのように構成されたディスプレイ／太陽電池は、無線通信装置のような携帯型装置（７２０）に組み合わされて利用され、太陽電池（１５０）は前記ディスプレイ（７１０）、携帯型装置（７２０）或いはその双方に電力を供給する。マスク（８１０）は、太陽電池１５０の表面の形状を適切に閉塞し、実質的に均一に着色された外観を提供するために使用され得る。
2005534075.tif 000002
【特許請求の範囲】
【請求項１】
実質的に透明である後面板および前面板と、液晶ピクセルのパターンとを有する液晶ディスプレイと、
偏光器と、
液晶ピクセルのパターンに対応する、カラーバンドピクセル反射器のパターンを有するディスプレイの前記後面板に、ほぼ平行に配置されたピクセル化されたカラー反射器とを備えるカラーディスプレイと、
実質的に均一な暗色に着色された受光活性面を有する太陽電池であって、前記前面板から前記ピクセル化されたカラー反射器の後面板に通過する光の内の、少なくとも一部が受光活性面を照らすように、前記ピクセル化されたカラー反射器に近接して配置されている太陽電池とを備える装置。
【請求項２】
前記液晶ディスプレイパネルは、前記後面板と前面板との間に、スーパー・ツイスト・ネマティック（ｓｕｐｅｒｔｗｉｓｔ  ｎｅｍａｔｉｃ）およびツイスト・ネマティック（ｔｗｉｓｔｅｄ  ｎｅｍａｔｉｃ）液晶材料の内の一つを備える請求項１記載の装置。
【請求項３】
前記カラーバンドピクセル反射器の各々は、複数のカラーバンドの内の一つを反射し、前記複数のカラーバンドの内の一つ内に無い光に対して、実質的に透過性である、請求項１記載の装置。
【請求項４】
前記偏光器は、前記液晶ディスプレイの前面板に近接して位置する、請求項１記載の装置。
【請求項５】
前記受光活性面は、実質的に黒色である、請求項１記載の装置。
【請求項６】
前記太陽電池は、複数の太陽電池装置を備える、請求項１記載の装置。
【請求項７】
前記ディスプレイに作用可能に接続されたユーザインターフェースを更に備える、請求項１記載の装置を備える携帯型電子装置。
【請求項８】
前記太陽電池によって充電されるバッテリを更に備える、請求項１記載の装置を備える携帯型電子装置。
【請求項９】
前記太陽電池の電力出力は、前記携帯型装置に作用可能に接続されている、請求項１記載の装置を備える携帯型電子装置。
【請求項１０】
実質的に透明である後面を有する、接触感応型ディスプレイと、
カラーディスプレイであって、
実質的に透明である後面板および前面板と、液晶ピクセルのパターンとを有する液晶ディスプレイと、
偏光器と、
液晶ピクセルのパターンに対応する、カラーバンドピクセル反射器のパターンを有するディスプレイの前記後面板に、ほぼ平行に配置されたピクセル化されたカラー反射器とを備えるカラーディスプレイと、
前記ディスプレイおよび接触感応型ディスプレイの内の少なくとも一つを通過する光の内の、少なくとも一部は受光活性面を照らすように、前記ピクセル化されたカラー反射器と接触感応型ディスプレイの内の少なくとも一つの後面に近接して配置され、実質的に均一に暗色に着色された受光活性面を有する太陽電池とを備える装置。
【請求項１１】
前記液晶ディスプレイパネルは、前記後面板と前面板との間に、スーパー・ツイスト・ネマティックおよびツイスト・ネマティック液晶材料の内の一つを備える請求項１０記載の装置。
【請求項１２】
前記カラーバンドピクセル反射器の各々は、複数のカラーバンドの内の一つを反射し、前記複数のカラーバンドの内の一つ内に無い光に対して、実質的に透過性である、請求項１０記載の装置。
【請求項１３】
前記偏光器は、前記液晶ディスプレイパネルの前面板に近接して位置する、請求項１０記載の装置。
【請求項１４】
前記受光活性面は、実質的に黒色である、請求項１０記載の装置。
【請求項１５】
前記太陽電池は、複数の太陽電池装置を備える、請求項１０記載の装置。
【請求項１６】
前記ディスプレイに作用可能に接続されたユーザインターフェースを更に備える、請求項１０記載の装置を備える携帯型電子装置。
【請求項１７】
前記太陽電池によって充電されるバッテリを更に備える、請求項１０記載の装置を備える携帯型電子装置。
【請求項１８】
前記太陽電池の電力出力は、前記携帯型装置に作用可能に接続されている、請求項１０記載の装置を備える携帯型電子装置。
【請求項１９】
前記接触感応型ディスプレイは、実質的にディスプレイ全体と同一の広がりを有する、請求項１０記載の装置。
【請求項２０】
前記接触感応型ディスプレイは、本質的に前記ディスプレイに隣接している、請求項１０記載の装置。
【発明の詳細な説明】
【技術分野】
【０００１】
（関連出願の相互参照）
本願は同時係属中の出願である「ディスプレイおよび太陽電池装置（Ａ  ＤＩＳＰＬＡＹ  ＡＮＤ  ＳＯＬＡＲ  ＣＥＬＬ  ＤＥＶＩＣＥ）」と題する、２００１年１０月３１日に出願された米国特許出願番号第１０／００１４９５号に関連し、本願の譲受人に譲渡され、参照により本明細書に援用する。
【０００２】
本発明は、概して液晶ディスプレイ、接触感応型ディスプレイおよび太陽電池に関連し、そのようなディスプレイおよび太陽電池を有する携帯型装置にも関連する。
【背景技術】
【０００３】
無線通信装置を含む、様々な携帯型装置は、例えば一つ以上の電池のような携帯型エネルギー源を利用している。電池技術およびそのような携帯型装置の消費電力の両方が向上してはいるが、電池はやはり有限のエネルギー源である。電池の寿命を（可能であれば永久に）延ばす方法が常に求められている。
【０００４】
ある装置にとって、太陽電池は発展性のある補助エネルギー源または代替エネルギー源となり得る。例えば携帯型計算機のような、装置の中には太陽電池に使用できる表面積が十分に広く、かつ少ない電力で十分である装置もあり、これらの装置は、一つ以上の太陽電池によって完全に電力が供給されている。残念ながら、例えば携帯電話やその他の無線通信装置を含む装置の多くは、必要な電力が大きく、太陽電池の設置に有効な表面積が限定されていることも多い。その結果、太陽電池はそのような装置に対する補助エネルギー源または代替エネルギー源に十分であると考えられていない。
【０００５】
先行技術の中には、太陽電池を液晶ディスプレイのようなディスプレイと組み合わせることを提案しているものもある。前記ディスプレイは、問題の装置の普遍的な部分を備え、また太陽電池自身に要する表面積を追加する必要もないであろうことから、そのような組み合わせは魅力的であるように見える。しかしながら残念なことに、この点における先行技術による試みは、十分と言えるものではない。具体的には、太陽電池の受光活性面に最終的に到達する光は、理想的な条件下であっても、その太陽電池によって供給され得る電力量を実質的に減少させててしまうのに十分なほど、減衰されてしまう。そのような先行技術を通じて供給される僅かに増加した補助電力量では、そのような装置の全てにとは言えないにしろ、ほとんどの場合において、その組み合わせを備えるための付加的なコスト、および複雑性を請け負うにはあまりにも少な過ぎる。
【０００６】
従って、商業上受け入れられ、かつ費用効果のある方法によって、無線通信装置を含む携帯型装置における電池を補助および取り替える方法に対する必要性が引き続き存在する。
【発明を実施するための最良の形態】
【０００７】
本願において説明する必要性等は、実質的に本願において開示されたディスプレイおよび太陽電池を供給することで満たされる。本装置の様々な実施形態は、特に図面と併せて見直す際に、以下に続く詳細な説明を十分に見直し、考察することで更に理解されるであろう。
【０００８】
図１を参照すると、本発明におけるディスプレイおよび太陽電池１００（本願において、単に装置１００として参照される）の好適な実施形態の前面図が表されている。装置１
００は、カラー液晶ディスプレイ（ＬＣＤ）１０５および太陽電池１５０を備える。前記カラーＬＣＤ１０５は液晶ディスプレイパネル、偏光器１２５およびピクセル化されたカラー反射器１２１を備える。前記液晶ディスプレイパネルは、実質的に透明である前面板１１０と、反対側に実質的に透明な後面板１２０と、液晶材料１３０と、電極（図示せず）とを含む。実質的に透明なという表現は、前面板１１０に入射する赤外線および可視光エネルギーの、少なくとも９０％をプレートが透過させることを意味する。例えば、フロントおよび後面板１１０，１２０は透明ガラスであり得、通常は可視光の少なくとも９６％を透過する。これに代わって、当技術分野で周知のように、前面板および後面板１１０，１２０は、実質的に透明なプラスティックであってもよい。液晶材料１３０は、汎用的な先行技術にある知識および技術に従い、これらの二つのプレート１１０とプレート１２０との間にある空間を満たす。本実施形態における液晶材料１３０は、スーパー・ツイスト・ネマティック（ｓｕｐｅｒｔｗｉｓｔｅｄ  ｎｅｍａｔｉｃ）またはツイスト・ネマティック（ｔｗｉｓｔｅｄ  ｎｅｍａｔｉｃ）の、いずれかの液晶材料を備える。電極は当技術分野で周知である方法によって、前面板および後面板１１０，１２０の表面に配置され、周知の方法でＬＣＤディスプレイ１０５にある前面板１１０と後面板１２０との間にある液晶ピクセルのパターンを形成する。つまり、個々のピクセルは、そこを通過する直線偏光の回転量を判定するための従来のディスプレイ制御回路（図１から図８には図示せず）によって、電気的に制御され得る。偏光器１２５は、図１に示すように前面板１１０の直前に位置する。線形偏光器は前面板に接着され得ることが好ましい。前記偏光器１２５は、代わりに前面板１１０と液晶材料１３０との間に位置してもよい。液晶ディスプレイの前面に位置する表面は、前面１１８（例えば、偏光器１２５の前面）である。ピクセル化されたカラー反射器１２１は、液晶パネルの後面板１２０に平行にかつ近接して位置し、好ましくは、液晶パネルの後面板１２０の裏側に隣接して位置する。前記ピクセル化されたカラー反射器１２１は、代わりに後面板１２０と液晶材料１３０との間に位置することも可能である。カラーＬＣＤディスプレイ１０５の裏側の表面は、カラーＬＣＤ１０５の後面１１９（例えば、ピクセル化されたカラー反射器１２１の後面）である。本願において使用される用語である液晶パネルは、説明の都合上、実質的に透明な前面板１１０、反対側にある実質的に透明な後面板１２０、液晶材料１３０、および電極を含むものであり、偏光器１２５またはピクセル化されたカラー反射器１２１の内の一つまたはその両方、或いは更に言うと、補償板のような、従来のディスプレイパネルに含まれるその他の任意の数の部品を含まず、必ずしも物として製造および流通され得ること示すものではないと定義される。
【０００９】
太陽電池１５０はカラーＬＣＤ１０５の後面１１９の近接して配置され、結合層１４０が太陽電池１５０とカラーＬＣＤ１０５とを結合している。前記結合層１４０は例えば、特定の用途に適切な、適度に透明である粘着性物質から成る。（ある実施形態、および特に垂直方向への厚さが重要な波形率から成る箇所に対して、太陽電池１５０は、カラーＬＣＤ１０５の後面に直接結合されることもある。）所要により、および液晶ディスプレイ自身の面積かつ／または所望の電力出力に応じて、想像線１６０によって示唆されるような複数の太陽電池１５０を用いることができる。  太陽電池１５０は当技術分野において理解されているように、受光活性面を有する。ほとんどの用途において、前記受光活性面が均一な外観で、通常は暗色である外観を有する場合、液晶ディスプレイ１０５の外観の性能は、より優れていると言えるだろう。ほとんどの用途にとって、黒色または実質的に黒色である表面が最適である。
【００１０】
図２を参照すると、本発明の好適な実施形態における、ピクセル化されたカラー反射器１２１のほんの一部分が表されている。前記ピクセル化されたカラー反射器１２１は、カラーバンドピクセル反射器２０５，２１０，２１５のパターンを備える。図示されている各反射器２０５，２１０，２１５は正方形を成しているが、例えば棒形、円、または五角形のような、その他の形状も使用できることを認識されたい。図２に示すピクセル化され
たカラー反射器１２１は、フルカラーの液晶２０５を提供する三色に対応する、三種類のカラーバンドピクセル反射器２０５，２１０，２１５を有し、この例では赤色をＲと表示し、緑色をＧ、および青色をＢと表示している。しかしながら、他の色の組も使用することができ、二色ＬＣＤ１０５用にわずか二色を使用できることも認識されたい。これらのカラーバンドピクセル反射器２０５，２１０，２１５の特定のパターン（本願において、デルタ配列と呼ばれる）が示されているが、その他のパターンも使用することができる。例えば、その他の配列は通常、その他の色の数に使用されるであろう。本願の独自の発明における重要な態様は、この独自のピクセル化されたカラー反射器１２１上のカラーバンドピクセル反射器２０５，２１０，２１５のパターンにおけるピクセルが、液晶ディスプレイパネル（同様にカラーＬＣＤ１０５のピクセルでもある）のピクセルの位置に一致することである。これは、カラーバンドピクセル反射器２０５，２１０，２１５のパターンにおいてピクセルの中心が実質的に、液晶ディスプレイパネルのピクセルの中心と一致することを意味し、液晶ディスプレイのピクセルを操作する従来のディスプレイ制御回路が液晶ディスプレイのピクセルと、ピクセル化されたカラー反射器１２１とを関連付けていることも意味する。従って、ピクセル化されたカラー反射器は、液晶ピクセルのパターンに対応するカラーバンドピクセル反射器のパターンを有することになる。
【００１１】
図３を参照すると、電磁スペクトルの光波域における、ピクセル化されたカラー反射器１２１の透過率を示すペクトルグラフが図３に表されている。カラーバンドピクセル反射器２０５は透過率曲線３０５を有する。透過率曲線３０５は、カラーバンドピクセル反射器を、第一のカラーバンド（本願では赤色）では反射率が高いが、可視光波スペクトルの他の可視部分では、赤外線領域３２０と同様に、透過率が高いものと特徴付けている。類似の状況がカラーバンド反射器２１０，２１５に対しても存在し、それらは透過率曲線３１０，３１５によって特徴付けられ、それぞれ第二および第三のカラーバンドにおいて高い反射率を示している。例えば、モトローラによって開発されたオプティマックス（Ｏｐｔｉｍａｘ）技術のような、ホログラム反射板技術は、上記のようなピクセル化された反射器１２１を製造するために使用することができる。
【００１２】
図４を参照すると、本発明の好適な実施形態に従って、図１から図３に関連して説明されたディスプレイおよび太陽電池の一部分である断面図が示されている。ＬＣＤ１０５にある三つのピクセル領域４０５，４１０，４１５が表されている。装置１００に入射する光４２０は、図４において矢印で表されている。屋外における状態では、光４２０のエネルギーは、赤外（ＩＲ）光エネルギーおよび可視光エネルギーの量とほぼ同等の量を有することが多い。光４２０が液晶パネルおよび偏光器１２５を通過する際、可視光エネルギーは、偏光器１２５およびプレート１１０，１２０によって、およそ５０％減衰されるが、赤外光エネルギーは偏光器１２５およびプレート１１０，１２０によって、実質的に減衰されない。更に、当技術分野で周知のように、各ピクセル領域４０５，４１０，４１５内の偏光は、ピクセルの活性化によって決められる量によって回転される。減衰し、偏光した光がピクセル化されたカラー反射器１２１に達すると、偏光器１２５を含むピクセル領域４０５，４１０，４１５に可視光の一部分を反射し返し、結果として個々の色（この例では、赤色、緑色および青色）である光線４３５，４４０，４４５を生じる。光線４３５，４４０，４４５は、各ピクセルの偏光量と、偏光器１２５、前面板１１０２、後面板１２０および液晶材料１３５内における光線の損失によって概ね決まる振幅を有する。それによって、カラーＬＣＤ１０５は、フルカラー反射型液晶ディスプレイとなる。  そのような構成によって、反射型液晶ディスプレイ１０５の前面板１１０と、後面板１２０を通過する光４２０の内の少なくともいくつかの光は、太陽電池１５０の受光活性面を照らす。本実施形態において、太陽電池が液晶ディスプレイ１０５と同様の境界にまで、十分に拡張する受光活性面を有する場合には、カラーＬＣＤに入射する光エネルギーの、およそ６７％が太陽電池１５０に達する。前記６７％のエネルギーは、５０％の赤外光エネルギーと、可視エネルギーの２／３（各カラーバンド反射器からの反射）の内の１／２（偏
光器１２５による）から成る。結果として、太陽電池１５０は総有効面積に応じて、様々な標準的観察条件のもとで、相当な電力を供給することが可能となる。
【００１３】
本発明における太陽電池に渡されるエネルギー量は、これまでのようにパターン化されたカラーフィルタを含む従来のＬＣＤによる、赤外光エネルギーの全てに本質的に透過的であるが、例えば赤色、青色および緑色である複数の色のエネルギーの全てを、均一に反射する均一反射器を含む代替ディスプレイ、および太陽電池装置の構成を使用することによって、太陽電池に渡されたエネルギー量よりも実質的に多い。
【００１４】
上記のような代替ディスプレイおよび太陽電池と比較して、本発明の利点は、均一反射器の代わりに、より複雑な、ピクセル化されたカラー反射器を使用することで達成されるが、本発明は前記代替ディスプレイおよび太陽電池装置の方法にある、従来の液晶ディスプレイパネルにおいて使用されている、より複雑なマルチカラーフィルタを除外する。ディスプレイおよび太陽電池装置の使用に応じて、費用対効果の分析により最適な実施形態を選択することができる。
【００１５】
接触感応型ディスプレイは、当技術分野において理解されている。通常、接触感応型ディスプレイは、相対的に暗色に着色されている後面を有しており、ほとんどの消費者製品は上記のようなディスプレイに灰色を使用している。図５に表されている第二実施形態において、接触感応型ディスプレイ５１０の後面は、例えば光が接触感応型ディスプレイ５１０を通過して、前記接触感応型ディスプレイ５１０の後面の近位に配置される太陽電池１５０の受光活性面を照らすように、代わりに透明であってもよい。同様に結合層１４０は、太陽電池１５０と接触感応型ディスプレイ５１０を結合するために提供され得る。そのような構成により、接触感応型ディスプレイ５１０に入る光の内、大きな割合の光が接触感応型ディスプレイ５１０の透明な後面を通過し、太陽電池１５０の受光活性面を照らすであろう。太陽電池１５０の表面は、実質、均一に着色されるべきであり、着色される色は任意の色であっても、接触感応型ディスプレイの後面色に適する（例えば、灰色）。本願において用いられる「接触感応型」とは、指およびポインタの使用に応答して、ディスプレイ表面の領域を選択することを意味し、圧力検出、静電容量検出、音響検出、またはそのような目的で使用される、その他の技術をも含み得ることを意味する。
【００１６】
図６に表されている第三実施形態は、液晶ディスプレイ１０５と接触感応型ディスプレイ５１０の双方を有する装置を提供する。各ディスプレイ１０５，５１０は、上記において説明されたように構成され得る。図に表されている特定の実施形態において、前記液晶ディスプレイ１０５は、スーパー・ツイスト・ネマティックまたはツイスト・ネマティック液晶を使用する反射型液晶ディスプレイを備える。従って、この実施形態では、上記において説明したピクセル化されたカラー反射器１２１を備える反射器と関連した、液晶ディスプレイ１０５を表している。この実施形態では、液晶ディスプレイ１０５および接触感応型ディスプレイ５１０は、ＬＣＤディスプレイ１０５の一端に沿い、実質的に互いに接触するように配置される。これらのディスプレイ１０５，５１０が図に表記されるように隣接する（または、少なくとも互いに相対的に近接している）と、一つ以上の太陽電池１５０をディスプレイ１０５およびディスプレイ５１０の両方を結合するための、共通の結合層１４０を利用することができる。以前に説明したように、太陽電池または複数の太陽電池１５０は、黒色の受光活性面のような、実質的に均一な暗色の受光面を有することが好ましい。そのような構成によって、液晶ディスプレイ１０５および接触感応型ディスプレイ５１０の双方に入る光の大部分は、それらを通過し、太陽電池または複数の太陽電池１５０の受光活性面を照らすことになるであろう。
【００１７】
第４の実施形態において、図４に関連して説明した透明な後面を有する接触感応型画面５１０は、カラーＬＣＤ１０５の前面１１８の少なくとも一部分に配置され、カラーＬＣ
Ｄ１０５の前面１１８全体（前面と同一の広がりである）に配置されることもある。前記接触感応型画面５１０は、カラーＬＣＤ１０５の前面に接着されていることもあり、または単に取り付けられていることもある。これにより非常に小型化され、機能性の高いディスプレイおよび電力供給装置が提供される。
【００１８】
上記の実施形態において発生された電力は、周囲の光の条件に依存するが、相当な電力になり得る。図７は、上記において説明されたディスプレイおよび太陽電池装置の利用可能な方法を、いくつか表している。この実施形態では、例えば携帯用オシロスコープ、電子書籍、計算機、携帯電話、送受信兼用無線機、一方向または双方向無線小型呼出機、無線携帯情報端末等のような、携帯型電子装置７２０は、ディスプレイ７１０を接続し、操作するユーザインターフェース７３０を有する。このディスプレイ７１０は、上記において説明したツイスト・ネマティックかスーパー・ツイスト・ネマティック液晶、または接触感応型ディスプレイ５１０（またはある用途に適するように並列した組み合わせ）を使用する、液晶ディスプレイ１０５になり得る。ディスプレイ７１０は上記の説明のように、光を対応する太陽電池１５０に渡す。この太陽電池１５０による電力は、ディスプレイ７１０に接続７４０され、電池の出力を補助するか、または（一時的または永久に）電池の出力の代わりとなる。更に加えて、或いは代わりの例として、この太陽電池１５０による電力は、携帯型電子装置７２０の他の別の場所に接続され、携帯型電子装置７２０への電力供給に利用されるような電池の出力を補助するかまたは電池の出力の代用となる。一つの特定の実施形態として、太陽電池１５０による電力は、充電回路７６０に接続１５０され、携帯型電子装置７２０の電池７７０（または複数の電池）を充電するために使用される。
【００１９】
説明を容易にするため、主に単一の太陽電池１５０のみを説明してきたが、より多くの電力量を供給するために、複数の太陽電池が利用され得ることは、明らかに認識されるであろう。
【００２０】
多数の太陽電池１５０が、均一に着色された活性面を提供しない統合化されたパッケージに備えられる。その代わりに、ここで図８を参照すると、そのようなパッケージの多くは、例えば銅または他の金属から成る不活性領域８４０によって分離されている、複数の太陽電池１５１，１５２（または太陽電池１５０の領域１５１，１５２）を提供する。そのような材料は、通常、活性面領域の色に一致しない色から成るだけでなく、相対的に可視光線に対して反射もする。結果として、上記に説明したようなディスプレイの後方に、そのようなパッケージを設置すると、少なくともある観察条件のもとでは、これらの不活性面領域８４０が、カラーＬＣＤ１０５を通して視認可能になる。このような方法で可視となると、ユーザは、そのディスプレイによって大いに惑わされることになり得る。
【００２１】
このような太陽電池を使用する際、太陽電池は、その他の部分が、少なくともディスプレイを通して部分的に可視である、少なくともその表面のある部分は実質的に均一の色を有することを保証するために、結果として前記太陽電池を修正することが好ましい。一実施形態では、不活性面上に塗料を配置することで、太陽電池１５１，１５２の色に一致する、ペイントマスキング（ｐａｉｎｔ  ｍａｓｋｉｎｇ）技術が使用され得る。別の実施形態では、太陽電池１５１，１５２の活性領域に一致する永久的なマスクが、太陽電池領域１５１，１５２とカラーＬＣＤ１０５自身との間に提供される。そのようなマスク８１０は、光がマスクを通過し、太陽電池１５０の活性領域１５１，１５２と接触することを可能にする、アパーチャ８２０，８３０を有するべきである。そのような構成によって、マスク８１０は、太陽電池のパッケージと協働して、ディスプレイの背景として、実質的に均一に着色された表面を提供しながら、光が活性領域を通過することを可能にするであろう。必要に応じて、永久マスク８１０は、上記において説明した結合層１４０と一体化された部分として形成され得る。
【００２２】
本願において説明されたディスプレイおよび太陽電池装置は、先行技術によって提示されたものに比べて、より商業的に容認可能であるソリューションを提供している。電力が供給される装置表面の空間は、一つ以上の太陽電池のために、専用に設けられる必要はない。代わりに、ディスプレイに専用の表面の空間は、太陽電池の活性面を照らすための光を収集する入り口としての機能において、様々な目的を平行して処理するように機能する。更に、相対的に普及し、費用効果のある液晶ディスプレイ技術は、首尾よく利用され、使用するに足り得るディスプレイを提供しながらも、積層された太陽電池に容認できるレベルの光を供給する。いまだに知られていない、もう一つの利点として、前記ディスプレイは太陽電池を保護する利点を提供するだろう（そのような保護機能は、特に高性能な太陽電池パネルに対して意義のあることだろう）。
【００２３】
当業者は、本願において説明された発明概念の精神および範囲から逸脱することなく、説明された実施形態に関連して様々な変更および代用が可能であることを認識するであろう。本発明の広さおよび範囲は、以下の請求項によってのみ定義されることを理解されたい。
【図面の簡単な説明】
【００２４】
【図１】本発明の好適な実施形態におけるディスプレイおよび太陽電池の第一実施形態の前面図。
【図２】図１に関連して説明されるディスプレイおよび太陽電池に使用する、ピクセル化されたカラー反射器の一部分の平面図。
【図３】図２に関連して説明されるピクセル化されたカラー反射器の透過率のスペクトルグラフ。
【図４】図１から図３に関連して説明されるディスプレイおよび太陽電池の一部分の断面図。
【図５】本発明の第二実施形態における接触感応型ディスプレイおよび太陽電池装置の側面図。
【図６】本発明の第三実施形態におけるディスプレイおよび太陽電池装置の側面図。
【図７】本発明の実施形態において設定された第一実施形態から第三実施形態の任意の実施形態を含む、携帯型電子装置を表すブロック図。
【図８】本発明の実施形態における太陽電池と併せて使用されるマスクの分解斜視図。
【図１】
2005534075.tif 000003
【図２】
2005534075.tif 000004
【図３】
2005534075.tif 000005
【図４】
2005534075.tif 000006
【図５】
2005534075.tif 000007
【図６】
2005534075.tif 000008
【図７】
2005534075.tif 000009
【図８】
2005534075.tif 000010
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
実質的に透明である後面板および前面板と、スーパー・ツイスト・ネマティックおよびツイスト・ネマティック液晶材料の内の一つを備える液晶ピクセルのパターンとを有する液晶ディスプレイと、
偏光器と、
液晶ピクセルのパターンに対応する、カラーバンドピクセル反射器のパターンを有するディスプレイの前記後面板に、ほぼ平行にかつ近接して配置された、ピクセル化されたカラーホログラフィック反射器とを備えるカラーディスプレイと、
実質的に均一な暗色に着色された受光活性面を有する太陽電池であって、前記前面板から前記ピクセル化されたカラー反射器の後面板に通過する光の内の、少なくとも一部が受光活性面を照らすように、前記ピクセル化されたカラー反射器に近接して配置されている太陽電池とを備える装置。
【請求項２】
前記カラーバンドピクセル反射器の各々は、複数のカラーバンドの内の一つを反射し、前記複数のカラーバンドの内の一つ内に無い光に対して、実質的に透過性である、請求項１記載の装置。
【請求項３】
前記偏光器は、前記液晶ディスプレイの前面板に近接して位置する、請求項１記載の装置。
【請求項４】
前記受光活性面は、実質的に黒色である、請求項１記載の装置。
【請求項５】
前記太陽電池は、複数の太陽電池装置を備える、請求項１記載の装置。
【請求項６】
前記ディスプレイに作用可能に接続されたユーザインターフェースを更に備える、請求項１記載の装置を備える携帯型電子装置。
【請求項７】
前記太陽電池によって充電されるバッテリを更に備える、請求項１記載の装置を備える携帯型電子装置。
【請求項８】
前記太陽電池の電力出力は、前記携帯型装置に作用可能に接続されている、請求項１記
載の装置を備える携帯型電子装置。
【請求項９】
実質的に透明である後面を有する、接触感応型ディスプレイと、
カラーディスプレイであって、
実質的に透明である後面板および前面板と、スーパー・ツイスト・ネマティック（ｓｕｐｅｒｔｗｉｓｔ  ｎｅｍａｔｉｃ）およびツイスト・ネマティック（ｔｗｉｓｔｅｄ
ｎｅｍａｔｉｃ）液晶材料の内の一つを備える液晶ピクセルのパターンとを有する液晶ディスプレイと、
偏光器と、
液晶ピクセルのパターンに対応する、カラーバンドピクセル反射器のパターンを有するディスプレイの前記後面板に、ほぼ平行にかつ近接して配置されたピクセル化されたカラーホログラフィック反射器とを備えるカラーディスプレイと、
前記ディスプレイおよび接触感応型ディスプレイの内の少なくとも一つを通過する光の内の、少なくとも一部は受光活性面を照らすように、前記ピクセル化されたカラー反射器と接触感応型ディスプレイの内の少なくとも一つの後面に近接して配置され、実質的に均一に暗色に着色された受光活性面を有する太陽電池とを備える装置。
【請求項１０】
前記カラーバンドピクセル反射器の各々は、複数のカラーバンドの内の一つを反射し、前記複数のカラーバンドの内の一つ内に無い光に対して、実質的に透過性である、請求項９記載の装置。
【請求項１１】
前記偏光器は、前記液晶ディスプレイパネルの前面板に近接して位置する、請求項９記載の装置。
【請求項１２】
前記受光活性面は、実質的に黒色である、請求項９記載の装置。
【請求項１３】
前記太陽電池は、複数の太陽電池装置を備える、請求項９記載の装置。
【請求項１４】
前記ディスプレイに作用可能に接続されたユーザインターフェースを更に備える、請求項９記載の装置を備える携帯型電子装置。
【請求項１５】
前記太陽電池によって充電されるバッテリを更に備える、請求項９記載の装置を備える携帯型電子装置。
【請求項１６】
前記太陽電池の電力出力は、前記携帯型装置に作用可能に接続されている、請求項９記載の装置を備える携帯型電子装置。
【請求項１７】
前記接触感応型ディスプレイは、実質的にディスプレイ全体と同一の広がりを有する、請求項９記載の装置。
【請求項１８】
前記接触感応型ディスプレイは、本質的に前記ディスプレイに隣接している、請求項９記載の装置。
【国際調査報告】
2005534075.tif 000011